(57)【要約】【課題】建物内の様々な箇所からも水回り設備室へのアクセスがしやすい建物の空間構造を提供する。【解決手段】建物１の２階部分２と１階部分３とのそれぞれの高さ方向における略中間位置に、上部中間床５と下部中間床６とが平面視で略同一位置に設けられ、上部中間床５の上側に、小空間７が設けられ、上部中間床５と下部中間床６との間に、水回り設備室としての化粧室４が設けられ、下部中間床６の下側に化粧室４からの配管８を有する収納スペース９が設けられており、上部中間床５、２階部分２の床１０、下部中間床６及び１階部分３の床１１がそれぞれ踊り場とされ、小空間７、２階部分２、化粧室４及び１階部分３をつなぐ回り階段１２Ａ，１２Ｂ，１２Ｃが設けられている。【選択図】図１
2009275346.tif 000002
【特許請求の範囲】
【請求項１】
建物の上階部分と下階部分とにまたがって水回り設備室が設けられた建物の空間構造であって、
前記建物の前記上階部分と前記下階部分とのそれぞれの高さ方向における略中間位置に、上部中間床と下部中間床とが平面視で略同一位置に設けられ、前記上部中間床の上側に、小空間が設けられ、前記上部中間床と前記下部中間床との間に、前記水回り設備室が設けられ、前記下部中間床の下側に前記水回り設備室からの配管を有する収納スペースが設けられており、
前記上部中間床、前記上階部分の床、前記下部中間床及び前記下階部分の床がそれぞれ踊り場とされ、前記小空間、前記上階部分、前記水回り設備室及び前記下階部分をつなぐ回り階段が設けられていることを特徴とする建物の空間構造。
【請求項２】
前記小空間の上方は、天窓を有する傾斜天井とされ、該小空間は、前記上階部分の同小空間の周りの部分と連通されていることを特徴とする請求項１に記載の建物の空間構造。
【請求項３】
請求項１又は２に記載の建物の空間構造を備えていることを特徴とする建物。
【発明の詳細な説明】
【技術分野】
【０００１】
本発明は、建物の上階部分と下階部分とにまたがって水回り設備室が設けられた建物の空間構造及び同空間構造を備えた建物に関するものである。
【背景技術】
【０００２】
従来から、建物内の空間を有効利用するために、建物の上階部分と下階部分とのそれぞれの高さ方向における略中間位置に、上部中間床と下部中間床とが設けられ、複数の小空間を形成することがなされている。
【０００３】
また、上部中間床と下部中間床との間に水回り設備室を設ける従来技術もある（特許文献１等を参照）。
【特許文献１】特開２００５−２６４６１０号公報
【発明の開示】
【発明が解決しようとする課題】
【０００４】
しかしながら、特許文献１のような従来技術は、水回り設備室へ向かう階段を如何に配置するなどして、建物内の様々な箇所から水回り設備室へのアクセスがしやすいかまでを考慮したものではなかった。
【０００５】
そこで、本発明は、建物内の様々な箇所からも水回り設備室へのアクセスがしやすい建物の空間構造及び同空間構造を備えた建物を提供することを目的としている。
【課題を解決するための手段】
【０００６】
前記目的を達成するために、本発明の建物の空間構造は、建物の上階部分と下階部分とにまたがって水回り設備室が設けられた建物の空間構造であって、前記建物の前記上階部分と前記下階部分とのそれぞれの高さ方向における略中間位置に、上部中間床と下部中間床とが平面視で略同一位置に設けられ、前記上部中間床の上側に、小空間が設けられ、前記上部中間床と前記下部中間床との間に、前記水回り設備室が設けられ、前記下部中間床の下側に前記水回り設備室からの配管を有する収納スペースが設けられており、前記上部中間床、前記上階部分の床、前記下部中間床及び前記下階部分の床がそれぞれ踊り場とされ、前記小空間、前記上階部分、前記水回り設備室及び前記下階部分をつなぐ回り階段が設けられていることを特徴とする。
【０００７】
ここで、前記小空間の上方は、天窓を有する傾斜天井とされ、該小空間は、前記上階部分の同小空間の周りの部分と連通されているとよい。
【０００８】
本発明の建物は、上記したいずれかの建物の空間構造を備えていることを特徴とする。
【発明の効果】
【０００９】
このような本発明の建物の空間構造は、建物の上階部分と下階部分とのそれぞれの高さ方向における略中間位置に、上部中間床と下部中間床とが平面視で略同一位置に設けられ、上部中間床の上側に、小空間が設けられ、上部中間床と下部中間床との間に、水回り設備室が設けられ、下部中間床の下側に水回り設備室からの配管を有する収納スペースが設けられており、上部中間床、上階部分の床、下部中間床及び下階部分の床がそれぞれ踊り場とされ、小空間、上階部分、水回り設備室及び下階部分をつなぐ回り階段が設けられた構成とされている。
【００１０】
こうした構成なので、小空間、上階部分及び下階部分のいずれの箇所からも、回り階段を通って水回り設備室へのアクセスがしやすい。
【００１１】
また、水回り設備室からの配管が収納スペース内に隠れるため、建物の外側からだけでなく、内側からも、意匠的外観がよい。
【００１２】
小空間の上方が、天窓を有する傾斜天井とされ、小空間が、上階部分の小空間の周りの部分と連通されている場合は、小空間内は、日中には天窓から外の光を採り入れて十分な明るさを確保でき、書斎的なスペースなどとして好適に使用できる。
【００１３】
また、上階部分の小空間の周りの部分にいる家族などと、小空間で勉強や仕事などをしている者とは、互いを確認することができ、安心感を与えることができる。
【００１４】
さらに、上階部分の小空間の周りの部分にいる家族などと、小空間で勉強や仕事などをしている者とは、コミュニケーションを図ることもでき、家庭生活を円滑に営むことに寄与する。
【００１５】
本発明の建物は、上記したいずれかの建物の空間構造を備えた構成とされているので、上記した建物の空間構造の効果を奏する建物を構築できる。
【発明を実施するための最良の形態】
【００１６】
以下、本発明の最良の実施の形態について図面に基づいて説明する。
【００１７】
図１は、本実施の形態の建物の空間構造を備えた建物１の概略構成を示している。
【００１８】
まず、このような建物１は、基本的には、切り妻屋根１５を有する１階部分３と２階部分２とから成る２階建ての建物である。
【００１９】
ここで、建物１内の片側には、２階部分２の高さ方向における略中間位置に、上部中間床５が設けられている。
【００２０】
また、１階部分３の高さ方向における略中間位置に、下部中間床６が設けられている。
【００２１】
さらに、上部中間床５と下部中間床６とは、平面視で略同一位置に設けられている。
【００２２】
そして、上部中間床５の上側には、小空間７が設けられている。
【００２３】
ここで、この小空間７の上方は、図１及び図４に示したように、切り妻屋根１５の傾斜屋根面１５Ａにより形成された傾斜天井１４に開閉可能な天窓１３Ａが設けられている。
【００２４】
なお、居間２０の上方の切り妻屋根１５の傾斜屋根面１５Ａに設けられたもう一方の天窓１３Ｂは、はめごろしとされている。
【００２５】
また、この小空間７は、周囲に安全用の柵７０が設けられているだけで、２階部分２の小空間７の周りの部分に設けられた居間（リビングルーム）２０と連通されている。
【００２６】
そして、上部中間床５と下部中間床６との間には、水回り設備室としての化粧室（トイレ）４が設けられている。
【００２７】
また、下部中間床６の下側には、化粧室４からの配管８が配設された収納スペース９が設けられている。
【００２８】
なお、収納スペース９内の配管８は、この収納スペース９内で露出させているが、その周りを区画し、別途、配管スペースとして、収納スペース９側からも隠れるようにしてもよい。
【００２９】
さらに、１階部分３には、図２に示したように、玄関３０の向かいに物置３１があり、廊下３２を進むと、右側に子供部屋３３があり、左側に化粧室４へ向かう階段１２Ｃがある。
【００３０】
廊下３２をさらに進むと、右側奥に夫婦の寝室３４があり、左側に洗面室３５があり、左側奥には浴室３６がある。
【００３１】
また、階段１２Ｃを上り、化粧室４の横を通って階段１２Ｂを上ると、２階部分２には、図３に示したように、居間２０があり、その奥には、食堂（ダイニングルーム）２１と台所（キッチン）２２がある。
【００３２】
さらに、階段１２Ａを上ると、小空間７がある。
【００３３】
すなわち、上部中間床５、２階部分２の床１０、下部中間床６及び１階部分３の床１１が踊り場とされ、小空間７、２階部分２、化粧室４及び１階部分３をつなぐ回り階段１２Ａ，１２Ｂ，１２Ｃが設けられている。
【００３４】
なお、切り妻屋根１５は、図４に示したように、２面の傾斜屋根面１５Ａ，１５Ｂにより形成され、片側の傾斜屋根面１５Ａに２つの天窓１３Ａ，１３Ｂが設けられている。
【００３５】
また、台所２２の上部には、換気空間２３が設けられている。
【００３６】
次に、本実施の形態の作用効果について説明する。
【００３７】
このような本実施の形態の建物の空間構造は、建物１の２階部分２と１階部分３とのそれぞれの高さ方向における略中間位置に、上部中間床５と下部中間床６とが平面視で略同一位置に設けられ、上部中間床５の上側に、小空間７が設けられ、上部中間床５と下部中間床６との間に、水回り設備室としての化粧室４が設けられ、下部中間床６の下側に化粧室４からの配管８を有する収納スペース９が設けられており、上部中間床５、２階部分２の床１０、下部中間床６及び１階部分３の床１１がそれぞれ踊り場とされ、小空間７、２階部分２、化粧室４及び１階部分３をつなぐ回り階段１２Ａ，１２Ｂ，１２Ｃが設けられた構成とされている。
【００３８】
こうした構成なので、小空間７、２階部分２及び１階部分３のいずれの箇所からも、回り階段１２Ａ，１２Ｂ，１２Ｃを通って化粧室４へのアクセスがしやすい。
【００３９】
ここで、化粧室４からの配管８が収納スペース９内に隠れるため、建物１の外側からだけでなく、内側からも、意匠的外観がよい。
【００４０】
また、収納スペース９は、例えば大量に出たゴミなどを一時的に収納することなどに利用でき、建物１内の美観を維持することに貢献する。
【００４１】
さらに、小空間７の上方の傾斜天井１４に、天窓１３Ａが設けられ、小空間７が、２階部分２の小空間７の周りの部分に設けられた居間２０と連通されているので、小空間７内は、日中には天窓１３Ａから外の光を採り入れて十分な明るさを確保でき、書斎的なスペースなどとして好適に使用できる。
【００４２】
ここで、天窓１３Ａは、開閉可能とされているので、小空間７内には、新鮮な外気を取り入れて換気を行うこともできる。
【００４３】
また、図５に示したように、２階部分２の小空間７の周りの部分に設けられた居間２０にいる家族などと、小空間７で勉強や仕事などをしている者とは、互いを確認することができ、安心感を与えることができる。
【００４４】
さらに、２階部分２の周りの部分に設けられた居間２０にいる家族などと、小空間７で勉強や仕事などをしている者とは、コミュニケーションを図ることもでき、家庭生活を円滑に営むことに寄与する。
【００４５】
本実施の形態の建物１は、本実施の形態の建物の空間構造を備えた構成とされているので、本実施の形態の建物の空間構造の作用効果を奏する建物１を構築できる。
【００４６】
以上、図面を参照して、本発明の最良の実施の形態を詳述してきたが、具体的な構成は、この実施の形態に限らず、本発明の要旨を逸脱しない程度の設計的変更は、本発明に含まれる。
【００４７】
例えば、前記実施の形態では、説明を簡単に行えるように、建物１を２階建てのものとして実施したが、これに限定されず、３階以上の建物で実施してもよい。
【００４８】
また、前記実施の形態では、水回り設備室を化粧室４として実施したが、これに限定されず、洗面室や浴室、或いはこれらを混合させたものとして実施してもよい。
【００４９】
さらに、前記実施の形態では、２階部分２の小空間７の周りの部分を居間２０としたが、これに限定されず、食堂など家族が多く集まるスペースとするとよい。
【図面の簡単な説明】
【００５０】
【図１】図２におけるＡ−Ａ線矢視断面図である。
【図２】本実施の形態の建物の空間構造を備えた建物の１階部分の概略構成を示した水平断面図である。
【図３】本実施の形態の建物の空間構造を備えた建物の２階部分の概略構成を示した水平断面図である。
【図４】本実施の形態の建物の空間構造を備えた建物の屋根部分の概略構成を示した平面図である。
【図５】本実施の形態の建物の空間構造を備えた建物の２階部分の概略構成を示した斜視図である。
【符号の説明】
【００５１】
１      建物
２      ２階部分（上階部分）
２０    居間（上階部分の小空間の周りの部分）
３      １階部分（下階部分）
４      化粧室（水回り設備室）
５      上部中間床
６      下部中間床
７      小空間
８      配管
９      収納スペース
１０    ２階部分（上階部分）の床
１１    １階部分（下階部分）の床
１２Ａ，１２Ｂ，１２Ｃ    回り階段
１３Ａ，１３Ｂ    天窓
１４    傾斜天井
【図１】
2009275346.tif 000003
【図２】
2009275346.tif 000004
【図３】
2009275346.tif 000005
【図４】
2009275346.tif 000006
【図５】
2009275346.tif 000007